(57)【特許請求の範囲】
【請求項１】
下枠と、前記下枠上に固定手段を介して着脱自在に取り付けられる外筒と、前記外筒の内側に昇降自在に螺合する、蓋により開閉自在な内筒とを備え、前記外筒の下部にはフランジが形成され、前記下枠には、共回り防止用リブが形成されている弁筐において、
前記固定手段は、前記下枠の上面に形成された、前記外筒の前記フランジの一部が差し込まれる断面コ字状の受け部と、前記受け部内に差し込まれる前記フランジの一部と対向する側の前記フランジを前記下枠に固定する締め付け手段とからなり、前記締め付け手段は、前記下枠に固定された雄ねじと、前記雄ねじに押さえ板を介してねじ込まれる、手動により締め付け可能なアイナットとからなることを特徴とする弁筐。
【請求項２】
下枠と、前記下枠上に固定手段を介して着脱自在に取り付けられる内筒と、前記内筒の外側に昇降自在に螺合する、蓋により開閉自在な外筒とを備え、前記内筒の下部にはフランジが形成され、前記下枠には、共回り防止用リブが形成されている弁筐において、
前記固定手段は、前記下枠の上面に形成された、前記内筒の前記フランジの一部が差し込まれる断面コ字状の受け部と、前記受け部内に差し込まれる前記フランジの一部と対向する側の前記フランジを前記下枠に固定する締め付け手段とからなり、前記締め付け手段は、前記下枠に固定された雄ねじと、前記雄ねじに押さえ板を介してねじ込まれる、手動により締め付け可能なアイナットとからなることを特徴とする弁筐。
【発明の詳細な説明】
【０００１】
【発明の属する技術分野】
この発明は、弁筐、特に、弁筐の高さ調整のために外筒または内筒を回したときの下枠の共回りを防止することができ、また、施工現地において、下枠と外筒または内筒との分割および組み立てを可能として、下枠と外筒および内筒とが一体化した弁筐に比べて施工が容易に行えるようにした弁筐に関するものである。
【０００２】
【従来の技術】
従来、仕切弁や止水詮等を地中に埋設する弁筐として、例えば、実公昭５７−１６９３０号公報に開示されるものがある。
【０００３】
この従来弁筐は、図６に示すように、下枠１、雌ねじ４が形成された外筒２、雌ねじ４と噛み合う雄ねじ５が形成された内筒３とをそれぞれ個別に作り、外筒２の一方端部に下枠１に固定されるフランジ２Ａを形成し、内筒３の他方端部に下枠１に固定されるフランジ３Ａを形成する。そして、図７に示すように、外筒２に対して内筒３が昇降する内ねじ式にする場合には、外筒２のフランジ２Ａを下枠１に固定し、外筒２の内側に内筒３を螺合させる。一方、図８に示すように、内筒３に対して外筒２が昇降する外ねじ式にする場合には、内筒３を上下反転させ、内筒３のフランジ３Ａを下枠１に固定し、内筒３の外側に外筒２を螺合させる。
【０００４】
このようにすることによって、一組の弁筐で外ねじ式弁筐にも内ねじ式弁筐にも使用することができるので、製造業者は、外ねじ式弁筐の製造設備と内ねじ式弁筐の製造設備とを別々に設ける必要がなくなるといった有用な効果がもたらされる。
【０００５】
【発明が解決しようとする課題】
しかしながら、上記従来弁筐は、以下のような問題点を有していた。
【０００６】
（１）弁筐施工後、例えば、凍結等による路面の浮上により弁筐の高さを調整する場合、内ねじ式弁筐では、内筒３を回し、外ねじ式弁筐では、外筒２を回す。しかし、長期間の経過により、内ねじ式弁筐では、雌ねじ４と雄ねじ５との錆付きや両ねじ部への浸入水の凍結等により、そして、外ねじ式弁筐では、この錆付きおよびねじ部への浸入水の凍結と共に外筒２と周囲の土との摩擦抵抗等により、下枠１が共回りしてしまい弁筐の高さ調整が円滑に行えない場合があった。
【０００７】
（２）工場側では、下枠１と外筒２または内筒３とはそれぞれ分割されているが、内ねじ式または外ねじ式の何れの方式であっても施工現地では弁筐は、下枠１と外筒２または内筒３とは一体になっていて、施工現地では分割および組み立てを行うことができない。弁筐の全体の重量は、数十キロに及ぶために、狭い縦孔での施工作業は、危険が伴う重労働であった。
【０００８】
従って、この発明の目的は、弁筐の高さ調整のために外筒または内筒を回したときの下枠の共回りを防止することができ、また、施工現地での下枠と外筒または内筒との分割および組み立てを可能として、下枠と外筒および内筒とが一体化した弁筐に比べて施工が容易に行えるようにした弁筐を提供することにある。
【０００９】
【課題を解決するための手段】
請求項１記載の発明は、下枠と、前記下枠上に固定手段を介して着脱自在に取り付けられる外筒と、前記外筒の内側に昇降自在に螺合する、蓋により開閉自在な内筒とを備え、前記外筒の下部にはフランジが形成され、前記下枠には、共回り防止用リブが形成されている弁筐において、前記固定手段は、前記下枠の上面に形成された、前記外筒の前記フランジの一部が差し込まれる断面コ字状の受け部と、前記受け部内に差し込まれる前記フランジの一部と対向する側の前記フランジを前記下枠に固定する締め付け手段とからなり、前記締め付け手段は、前記下枠に固定された雄ねじと、前記雄ねじに押さえ板を介してねじ込まれる、手動により締め付け可能なアイナットとからなることに特徴を有するものである。
【００１０】
請求項２記載の発明は、下枠と、前記下枠上に固定手段を介して着脱自在に取り付けられる内筒と、前記内筒の外側に昇降自在に螺合する、蓋により開閉自在な外筒とを備え、前記内筒の下部にはフランジが形成され、前記下枠には、共回り防止用リブが形成されている弁筐において、前記固定手段は、前記下枠の上面に形成された、前記内筒の前記フランジの一部が差し込まれる断面コ字状の受け部と、前記受け部内に差し込まれる前記フランジの一部と対向する側の前記フランジを前記下枠に固定する締め付け手段とからなり、前記締め付け手段は、前記下枠に固定された雄ねじと、前記雄ねじに押さえ板を介してねじ込まれる、手動により締め付け可能なアイナットとからなることに特徴を有するものである。
【００１４】
【発明の実施の形態】
この発明の弁筐の一実施態様を、図面を参照しながら説明する。
【００１５】
図１は、この発明の弁筐を示す平面図、図２は、この発明の弁筐を示す断面図、図３は、押さえ板を示す平面図、図４は、外筒を下枠上に乗せた状態を示す断面図、図５は、外筒のフランジを下枠の受け部内に差し込んだ状態を示す断面図である。
【００１６】
図１から図５において、１は、下枠であり、周囲には、複数枚の共回り防止用リブ１Ａが形成されている。２は、雌ねじ４が形成された外筒であり、下端には、フランジ８が形成されている。３は、雄ねじ５（この例では、雄ねじ５は、下部にのみ形成されている。）が形成された内筒、６は、内筒３の蓋であり、鎖７によって内筒３とつながれている。９は、外筒２を下枠１上に着脱自在に取り付ける固定手段である。
【００１７】
固定手段９は、下枠１の上面に形成された、外筒２のフランジ８の一部８Ａが差し込まれる逆Ｌ形の受け部１Ｂと、受け部１Ｂ内に差し込まれる、フランジ８の一部８Ａと対向する側のフランジ８Ｂを下枠１に固定する締め付け手段１０とからなっている。
【００１８】
締め付け手段１０は、下枠１に垂直上向きにナット１１により固定されたボルト１２と、ボルト１２に押さえ板１３を介してねじ込まれるアイナット１４とからなっている。押さえ板１３は、図３に示すように、ボルト１２の挿通長孔１３Ａが形成されている。アイナット１４としたのは、締め付けを工具以外に手でも行えるようにするためと、重機による吊り下げを可能とするためである。
【００１９】
このように構成されている、この発明の弁筐は、以下のようにして施工される。
【００２０】
図４に示すように、下枠１を管路のバルブ上の台座（図示せず）上に載置したら、内筒３が差し込まれた外筒２を下枠１上に乗せる。次いで、図５に示すように、外筒２のフランジ８Ａを受け部１Ｂ内に挿入する。この際、押さえ板１３は、外筒２のフランジ８Ｂと干渉しないように、外方に寄せておく。このようにして、外筒２を下枠１上に垂直に乗せたら、押さえ板１３を内方に寄せ、アイナット１４を締め付ける。これによって、外筒２のフランジ８Ｂは、アイナット１４によって押さえ板１３を介して締め付けられる。この結果、外筒２は、内筒３と共に、下枠１上に垂直に固定される。
【００２１】
弁筐施工後、内筒３の昇降時に内筒３を回す際に、例え、外筒２の雌ねじ４と内筒３の雄ねじ５とが錆付きあるいは両ねじ部への浸入水の凍結等により回り難くなっていても、下枠１のリブ１Ａが周囲の土に食い込んでいることから、下枠１が共回りすることはない。
【００２２】
また、下枠１と内筒３が差し込まれた外筒２とは、固定手段９により施工現地において分割および組み立てが可能であるので、施工時にそれぞれ別々に縦孔内に搬入することができる。従って、下枠１と外筒２とが一体化された弁筐に比べて、施工現地での弁筐の施工が容易に行える。
【００２３】
以上は、内筒３が昇降する内ねじ式弁筐の場合であるが、外筒２が昇降する外ねじ式弁筐の場合にも、この発明が適用できることは言うまでもない。この場合には、内筒３の下端に固定手段９によって固定されるフランジを形成する。
【００２４】
【発明の効果】
以上説明したように、この発明によれば、下枠にリブを形成することによって下枠の共回りを確実に防止することができ、また、下枠と外筒または内筒とを固定手段により分割することによって、施工現地で下枠と外筒または内筒とを別々に施工用縦孔内に搬入できるので、下枠と外筒または内筒とが一体化された弁筐に比べて、弁筐の施工が容易に行えるといった有用な効果がもたられる。
【図面の簡単な説明】
【図１】この発明の弁筐を示す平面図である。
【図２】この発明の弁筐を示す断面図である。
【図３】押さえ板を示す平面図である。
【図４】外筒を下枠上に乗せた状態を示す断面図である。
【図５】外筒のフランジを下枠の受け部内に差し込んだ状態を示す断面図である。
【図６】従来の弁筐を示す断面図である。
【図７】内ねじ式弁筐を示す断面図である。
【図８】外ねじ式弁筐を示す断面図である。
【符号の説明】
１：下枠
１Ａ：リブ
１Ｂ：受け部
２：外筒
３：内筒
４：雌ねじ
５：雄ねじ
６：蓋
７：鎖
８：フランジ
８Ａ：フランジの一部
８Ｂ：８Ａと対向するフランジ
９：固定手段
１０：締め付け手段
１１：ナット
１２：ボルト
１３：押さえ板
１３Ａ：ボルト孔
１４：アイナット
【図１】
0003779213.tif 000002
【図２】
0003779213.tif 000003
【図３】
0003779213.tif 000004
【図４】
0003779213.tif 000005
【図５】
0003779213.tif 000006
【図６】
0003779213.tif 000007
【図７】
0003779213.tif 000008
【図８】
0003779213.tif 000009